(57)【要約】【課題】自然光を効率良く利用して光触媒を励起させて空気を脱臭したり殺菌したりする空気浄化機能を有した換気装置を提供することを目的としている。【解決手段】自然光６を導光させる導光ダクト１と、屋外空気４を送風する送風機２とを備え、導光ダクト１によって導かれた自然光６によって励起し、屋外空気４を浄化できる光触媒担持フィルタ５によって、空気を浄化する機能と、建物内に自然光６を導光する機能を有した換気装置７が得られる。【選択図】図１
2009014253.tif 000002
【特許請求の範囲】
【請求項１】
居住空間と連通し自然光を居住空間に導く導光ダクトと空気を送風する送風機を備え、前記送風機によって取り込んだ屋外空気を前記導光ダクト内に導き、前記導光ダクト内に備えた光触媒担持フィルタによって前記屋外空気を浄化し、浄化した前記屋外空気を前記居住空間に吹出すことを特徴とする換気装置。
【請求項２】
導光ダクト内に送風機を配置しない構造であることを特徴とする請求項２に記載の換気装置。
【請求項３】
光触媒担持フィルタが光透過型材料を含むことを特徴とする請求項１または２に記載の換気装置。
【請求項４】
導光ダクトの内壁が光反射型材料を含むことを特徴とする請求項１乃至３のいずれかに記載の換気装置。
【請求項５】
光触媒が可視光応答型の酸化チタンを含むことを特徴とする請求項１乃至４のいずれかに記載の換気装置。
【請求項６】
光触媒担持フィルタに吸着材が担持されていることを特徴とする請求項１乃至５のいずれかに記載の換気装置。
【請求項７】
光触媒が、二酸化チタン、含水酸化チタン、水和酸化チタン、メタチタン酸、オルトチタン酸、水酸化チタン、酸素欠損型酸化チタンのいずれか一つ以上を含むことを特徴とする請求項１乃至６のいずれかに記載の換気装置。
【請求項８】
吸着材が、活性炭、ゼオライト、セピオライト、マンガン化合物、コバルト化合物、珪藻土、疎水化処理したシリカゲルのいずれか一つ以上を含むことを特徴とする請求項１乃至７のいずれかに記載の換気装置。
【請求項９】
居住空間に導いた自然光の方向を変更できるようにしたことを特徴とする請求項１乃至８のいずれかに記載の換気装置。
【請求項１０】
自然光を遮断できるようにしたことを特徴とする請求項１乃至９のいずれかに記載の換気装置。
【請求項１１】
自然光を受光する方向を変更できるようにしたことを特徴とする請求項１乃至１０のいずれかに記載の換気装置。
【請求項１２】
日射センサによって自然光を受光する方向を決定することを特徴とする請求項１乃至１１のいずれかに記載の換気装置。
【請求項１３】
光触媒担持フィルタがハニカム構造、発泡構造、メッシュ構造の内いずれか一つ以上の構造であることを特徴とする請求項１乃至１２に記載の換気装置。
【請求項１４】
壁取り付け型であることを特徴とする請求項１乃至１３のいずれかに記載の換気装置。
【請求項１５】
天井取り付け型であることを特徴とする請求項１乃至１３のいずれかに記載の換気装置。
【発明の詳細な説明】
【技術分野】
【０００１】
本発明は、空気を浄化する機能を有し、建物内に自然光を導光する機能を有した換気装置に関する。
【背景技術】
【０００２】
従来、この種の空気を浄化する機能を有した換気装置は、空調用ダクト中に光触媒を用いた脱臭装置を設置した換気装置が知られている（特許文献１参照）。
【０００３】
以下、その換気装置について図２および図３を参照しながら説明する。図２に示すように、室内の空気１０１を、排気用ダクト１０２を通じて空調装置１０３に導入し、導入空気の温度・湿度を調整した後に、脱臭装置１０４に導入して、空気中の有害物質・黴・微生物等を脱臭・殺菌し、吸気用ダクト１０５を通じて建物内に臭いや微生物で汚染されていない空調された空気を循環させる換気装置がある。
【０００４】
また、図３に示すように、天井裏に設置された空調用ダクト１０６の一部もしくは全部を光１０７が透過するようなガラスなどの光透過性材料１０８で置き換え、その中に光触媒１０９を設置し、空調用ダクト１０６の外部に設置した励起光源１１０から放出される光１０７が光透過性材料１０８を通して照射されるような脱臭装置である。光触媒１０９に励起光源１１０から放出される光１０７を照射することで光触媒１０９における価電子帯の電子が励起されて伝導帯に遷移し、電子と正孔が生じる。これら正孔と電子が光触媒１０９の表面に移動することで空気中の有害物質と反応するか、あるいは、空気中の酸素や水と反応し、スーパーオキサイドイオン（Ｏ2-）やヒドロキシラジカル（・ＯＨ）などの活性種が生成し、これら活性種が有害物質や黴・微生物と連続的に反応することで脱臭や殺菌が行われる仕組みになっている。
【０００５】
また、この種の建物内に自然光を導光する導光装置は、採光装置１１１と光ダクト１１２とを接続してなる照明システムが知られている（特許文献２）。
【０００６】
以下、その照明システムについて図４を参照しながら説明する。
【０００７】
図４に示すように、凹面鏡の集光ミラーである光学系１１３を内蔵した採光装置１１１によって、自然光を採光し、光を導光する光ダクト１１２によって自然光を導き、出光部１１４から自然光を建物内へと導入する照明システムである。
【特許文献１】特開平０７−０３５３７３号公報
【特許文献２】特開平１１−０２５７２６号公報
【発明の開示】
【発明が解決しようとする課題】
【０００８】
このような従来の空気を浄化する浄化装置を搭載した換気装置では、以下の課題があった。
【０００９】
特許文献１に開示された方法では、空気を脱臭したり殺菌したりする際に作用する光触媒を励起（活性化）させるために、殺菌灯や高圧水銀灯、蛍光ランプ、キセノンランプなどを用いているため、脱臭や殺菌をしている間はこれらの励起光源に対して常に電力を供給する必要があるという課題があった。
【００１０】
また、これら励起光源には寿命があり、空気の脱臭や殺菌をする効果を有る一定レベル以上に持続させるためには、これら励起光源の出力を監視・把握するための機器が必要となるし、寿命に達した場合は別途新品の励起光源を用意しなければならないし、励起光源を交換するために人為的メンテナンスが必要になるという課題があった。
【００１１】
特許文献２に開示された方法では、自然光を採光する採光装置が一定の方向に固定されているため、自然光の照射方向が変化することによって建物内に導光される光の強度が低下してしまうという課題があった。
【００１２】
また、出光部は固定され、かつ、光を遮断するものが無いため、照明が必要な方向に向きを変えることができないし、照明を必要としないときにも導光されてしまうという課題があった。
【００１３】
本発明は、このような従来の課題を解決するものであり、自然光を利用して光触媒を励起（活性化）させて空気を脱臭したり殺菌したりすることで、電力を必要とせず、また交換部品を必要とせず、また、交換部品を交換するといったメンテナンスが必要なく、さらに、空気を脱臭したり殺菌したりする光触媒を励起（活性化）させるための自然光を効率良く採光させることができ、採光した自然光を照明に必要な向きに変更することができ、採光した自然光を必要に応じて遮断することができる機能を有した換気装置を提供することを目的としている。
【課題を解決するための手段】
【００１４】
本発明の換気装置は上記目的を達成するために、本発明が講じた第１の課題解決手段は、居住空間と連通し自然光を居住空間に導く導光ダクトと空気を送風する送風機を備え、前記送風機によって取り込んだ屋外空気を前記導光ダクト内に導き、前記導光ダクト内に備えた光触媒担持フィルタによって前記屋外空気を浄化し、浄化した前記屋外空気を前記居住空間に吹出すことを特徴とするものである。
【００１５】
また、第２の課題解決手段は、導光ダクト内に送風機を配置しない構造であることを特徴とするものである。
【００１６】
また、第３の課題解決手段は、光触媒担持フィルタが光透過型材料を含むことを特徴とするものである。
【００１７】
また、第４の課題解決手段は、導光ダクトの内壁が光反射型材料を含むことを特徴とするものである。
【００１８】
また、第５の課題解決手段は、光触媒が可視光応答型の酸化チタンを含むことを特徴とするものである。
【００１９】
また、第６の課題解決手段は、光触媒担持フィルタに吸着材が担持されていることを特徴とするものである。
【００２０】
また、第７の課題解決手段は、光触媒が、二酸化チタン、含水酸化チタン、水和酸化チタン、メタチタン酸、オルトチタン酸、水酸化チタン、酸素欠損型酸化チタンのいずれか一つ以上を含むことを特徴とするものである。
【００２１】
また、第８の課題解決手段は、吸着材が、活性炭、ゼオライト、セピオライト、マンガン化合物、コバルト化合物、珪藻土、疎水化処理したシリカゲルのいずれか一つ以上を含むことを特徴とするものである。
【００２２】
また、第９の課題解決手段は、居住空間に導いた自然光の方向を変更できるようにしたことを特徴とするものである。
【００２３】
また、第１０の課題解決手段は、自然光を遮断できるようにしたことを特徴とするものである。
【００２４】
また、第１１の課題解決手段は、自然光を受光する方向を変更できるようにしたことを特徴とするものである。
【００２５】
また、第１２の課題解決手段は、日射センサによって自然光を受光する方向を決定することを特徴とするものである。
【００２６】
また、第１３の課題解決手段は、光触媒担持フィルタがハニカム構造、発泡構造、メッシュ構造の内いずれか一つ以上の構造であることを特徴とするものである。
【００２７】
また、第１４の課題解決手段は、壁取り付け型であることを特徴とするものである。
【００２８】
また、第１５の課題解決手段は、天井取り付け型であることを特徴とするものである。
【発明の効果】
【００２９】
本発明の換気装置によれば、自然光を利用して光触媒を励起（活性化）させて空気を脱臭したり殺菌したりすることで、電力を必要とせず、また交換部品を必要とせず、また、交換部品を交換するといったメンテナンスが必要なく、さらに、自然光を受光する方向を変更することによって、空気を脱臭したり殺菌したりする光触媒を励起（活性化）させるための自然光を効率良く受光させることができ、居住空間に導いた自然光の方向を変更したり遮断することで、照明が必要な向きに変更したり受光した自然光を必要に応じて遮断することができる。
【００３０】
そして、請求項１記載の換気装置では、導光ダクトによって自然光を居住空間に導くと共に、送風機によって取り込んだ屋外空気を前記導光ダクト内に導き、前記導光ダクト内に設置した光触媒担持フィルタによって前記屋外空気を浄化し、浄化した前記屋外空気を前記居住空間に吹出すことを特徴とする換気装置であり、導光ダクトによって屋外から居住空間へと自然光を導くことができるため、照明に電力を用いることなく居住空間を明るく保つことができるようになる。また、導光ダクト内に設置した光触媒担持フィルタが、自然光によって励起（活性化）し、導光ダクト内を通過する屋外空気に含まれる有害物質が光触媒によって酸化／還元されることによって無害な物質へと変換されるため、浄化された屋外空気を居住空間に供給し続けることができるようになる。また、自然光によって光触媒を励起（活性化）できるので、電力を必要とせずに屋外空気を浄化することができるようになる。
【００３１】
また、請求項２に記載の換気装置では、導光ダクト内に送風機を配置しない構造であることを特徴とする換気装置であり、導光ダクトによって導かれた自然光が送風機本体によって遮蔽されることが無いため、屋外から居住空間へと自然光を効率良く導くことができるようになり、照明に電力を用いることなく居住空間を明るく保つことができるようになる。また、自然光が送風機本体によって遮蔽されることが無いため、光触媒担持フィルタに対して満遍なく照射されることによって照射された光触媒が無駄なく最大限に励起（活性化）されることによって、導光ダクト内を通過する屋外空気に含まれる有害物質が光触媒によって酸化／還元されることによって無害な物質へと無駄なく最大限に変換されるため、浄化された屋外空気を居住空間に供給し続けることができるようになる。また、導光ダクトの内部を自然光と屋外空気が流れることによって、換気装置を建物へ取り付けする際に、ダクトを通すための穴を一つ開ければ良くなるので施工性が向上する。
【００３２】
また、請求項３に記載の換気装置では、光触媒担持フィルタが光透過型材料を含むことを特徴とする換気装置であり、導光ダクトによって導かれた自然光が光触媒担持フィルタに照射された際に、効率良く光触媒担持フィルタ内を通過できるようになり、これによって光触媒担持フィルタにおける光触媒が無駄なく最大限に励起（活性化）されることによって、導光ダクト内を通過する屋外空気に含まれる有害物質が光触媒によって酸化／還元されることによって無害な物質へと無駄なく最大限に変換されるため、浄化された屋外空気を居住空間に供給し続けることができるようになる。
【００３３】
また、請求項４に記載の換気装置では、導光ダクトの内壁が光反射型材料を含むことを特徴とする換気装置であり、屋外に配置した自然光を受光することができる受光部から受光した自然光が、導光ダクトを通過する際に、導光ダクトの内壁が光反射型材料であるため、自然光が導光ダクトの壁面を通過しなくなるので、導光ダクトによって導かれた自然光が光触媒担持フィルタに対して満遍なく照射され、これによって光触媒担持フィルタに担持された光触媒が満遍なく自然光を照射され、これによって照射された光触媒が無駄なく最大限に励起（活性化）されることによって、導光ダクト内を通過する屋外空気に含まれる有害物質が光触媒によって酸化／還元されることによって無害な物質へと無駄なく最大限に変換されるため、浄化された屋外空気を居住空間に供給し続けることができるようになる。
【００３４】
また、請求項５に記載の換気装置では、光触媒が可視光応答型の酸化チタンを含むことを特徴とする換気装置であり、可視光に応答できる酸化チタンを含むことによって、導光ダクトによって導かれた自然光のスペクトルのうち、３８０〜３９０ｎｍの波長を有する紫外光（自然光の３％前後）以外に、４００〜８００ｎｍの波長を有する可視光（自然光の大部分を占める）が有効に活用できるようになり、これによって光触媒担持フィルタに担持された可視光応答型の酸化チタンを含む光触媒が無駄なく最大限に励起（活性化）されることによって、導光ダクト内を通過する屋外空気に含まれる有害物質が光触媒によって酸化／還元されることによって無害な物質へと無駄なく最大限に変換されるため、浄化された屋外空気を居住空間に供給し続けることができるようになる。
【００３５】
また、請求項６に記載の換気装置では、光触媒担持フィルタに吸着材が担持されていることを特徴とする換気装置であり、これによって導光ダクト内を通過する屋外空気に含まれる有害物質を吸着材の表面や細孔内へ吸着させることができるようになり、吸着材によって有害物質を光触媒の近傍に無駄なく最大限に供給することができるようになり、光触媒によって酸化／還元されることによって無害な物質へと変換されるため、浄化された屋外空気を居住空間に供給し続けることができるようになる。
【００３６】
また、請求項７に記載の換気装置では、光触媒が、二酸化チタン、含水酸化チタン、水和酸化チタン、メタチタン酸、オルトチタン酸、水酸化チタン、酸素欠損型酸化チタンのいずれか一つ以上を含むことを特徴とする換気装置であり、安全性が高く、経済性の高い酸化チタンを用いることによって、より安全性が高く、経済性の高い換気装置を得ることができるようになる。
【００３７】
また、請求項８に記載の換気装置では、吸着材が、活性炭、ゼオライト、セピオライト、マンガン化合物、コバルト化合物、珪藻土、疎水化処理したシリカゲルのいずれか一つ以上を含むことを特徴とする換気装置であり、吸着性能の高いこれらの吸着材を用いることによって、導光ダクト内を通過する屋外空気に含まれる有害物質を最大限に吸着させることができるようになり、吸着材によって有害物質を光触媒の近傍に無駄なく最大限に供給することができるようになり、光触媒によって酸化／還元されることによって無害な物質へと変換されるため、浄化された屋外空気を居住空間に供給し続けることができるようになる。また、自然光が非常に弱い日中や夜間のときにも、吸着材によって有害物質を吸着できるため、有害物質の少ない浄化された屋外空気を居住空間に供給し続けることができるようになる。
【００３８】
また、請求項９に記載の換気装置では、居住空間に導いた自然光の方向を変更できるようにしたことを特徴とする換気装置であり、居住空間において照明が必要な方向に自然光を導くことができるようになるため、効率良く居住空間を明るくすることができる。また、自然光に含まれる紫外光を光触媒が吸収するため、出光部から出光される自然光には紫外光を含まないため、人体に対する紫外光の影響を最小限に留めることができるし、居住空間内の物質に対する紫外光の影響を最小限に留めることができるようにもなる。
【００３９】
また、請求項１０に記載の換気装置では、自然光を遮断できるようにしたことを特徴とする換気装置であり、居住空間において照明が必要無い場合には、自然光を遮断できるようになる。
【００４０】
また、請求項１１に記載の換気装置では、自然光を受光する方向を変更できるようにしたことを特徴とする換気装置であり、自然光の向きが変化した場合にも自然光を受光する方向を変更することで、屋外から居住空間へと自然光を効率良く導くことができるようになるため、照明に電力を用いることなく居住空間を明るく保つことができるようになる。また、光触媒担持フィルタに担持された光触媒が、効率良く導かれた自然光によって励起（活性化）し、導光ダクト内を通過する屋外空気に含まれる有害物質が光触媒によって酸化／還元されることによって無害な物質へと変換されるため、浄化された屋外空気を居住空間に供給し続けることができるようになる。
【００４１】
また、請求項１２に記載の換気装置では、日射センサによって自然光を受光する方向を決定することを特徴とする換気装置であり、自然光の向きが変化した場合にも日射センサによって自動的に受光する最適な方向へと変更することで、屋外から居住空間へと自然光を効率良く導くことができるようになるため、照明に電力を用いることなく居住空間を明るく保つことができるようになる。また、光触媒担持フィルタに担持された光触媒が、効率良く導かれた自然光によって励起（活性化）し、導光ダクト内を通過する屋外空気に含まれる有害物質が光触媒によって酸化／還元されることによって無害な物質へと変換されるため、浄化された屋外空気を居住空間に供給し続けることができるようになる。
【００４２】
また、請求項１３に記載の換気装置では、光触媒担持フィルタがハニカム構造、発泡構造、メッシュ構造の内いずれか一つ以上の構造であることを特徴とする換気装置であり、これら構造にすることによってフィルタの圧力損失を低く抑えることができるようになり、屋外空気が通過する際の光触媒担持フィルタの圧力損失を低く抑え、目的の換気に必要な空気量を送風することができるようになる。また、これら構造にすることによって、光触媒担持フィルタ自身が自然光を遮蔽することを低く抑えることができるようになり、光触媒担持フィルタ全体に効率良く導かれた自然光によって励起（活性化）し、導光ダクト内を通過する屋外空気に含まれる有害物質が光触媒によって酸化／還元されることによって無害な物質へと変換されるため、浄化された屋外空気を居住空間に供給し続けることができるようになる。また、これら構造にすることによって、フィルタ単位体積当りのフィルタ面積を大きくすることができるようになり、光触媒や吸着材をフィルタ表面あるいは内部に高分散に担持でき、光触媒や吸着材が有する表面積が最大化し、導光ダクト内を通過する屋外空気に含まれる有害物質を光触媒によって酸化／還元して無害な物質へと変換したり、吸着材によって屋外空気から吸着除去したりすることができるようになり、浄化された屋外空気を居住空間に供給し続けることができるようになる。
【００４３】
また、請求項１４に記載の換気装置では、壁取り付け型であることを特徴とする換気装置であり、照明としての自然光および換気に必要な屋外空気を、居住空間における必要な位置に取り出すことができるようになる。
【００４４】
また、請求項１５に記載の換気装置では、天井取り付け型であることを特徴とする換気装置であり、照明としての自然光および換気に必要な屋外空気を、居住空間における必要な位置に取り出すことができるようになる。また、天井に取り付けすることによって、居住空間を広く保つことができるようになる。
【発明を実施するための最良の形態】
【００４５】
請求項１記載の発明は、居住空間と連通し自然光を居住空間に導く導光ダクトと空気を送風する送風機を備え、前記送風機によって取り込んだ屋外空気を前記導光ダクト内に導き、前記導光ダクト内に備えた光触媒担持フィルタによって前記屋外空気を浄化し、浄化した前記屋外空気を前記居住空間に吹出すことを特徴とする換気装置であり、導光ダクトによって屋外から居住空間へと自然光を導くことができるため、照明に電力を用いることなく居住空間を明るく保つことができるようになる。また、導光ダクト内に設置した光触媒担持フィルタが、自然光によって励起（活性化）し、導光ダクト内を通過する屋外空気に含まれる有害物質が光触媒によって酸化／還元されることによって無害な物質へと変換されるため、浄化された屋外空気を居住空間に供給し続けることができるようになる。また、自然光によって光触媒を励起（活性化）できるので、電力を必要とせずに屋外空気を浄化することができるようになる。
【００４６】
また、請求項２の発明は、導光ダクト内に送風機を配置しない構造であることを特徴とする換気装置であり、導光ダクトによって導かれた自然光が送風機本体によって遮蔽されることが無いため、屋外から居住空間へと自然光を効率良く導くことができるようになり、照明に電力を用いることなく居住空間を明るく保つことができるようになる。また、自然光が送風機本体によって遮蔽されることが無いため、光触媒担持フィルタに対して満遍なく照射されることによって照射された光触媒が無駄なく最大限に励起（活性化）されることによって、導光ダクト内を通過する屋外空気に含まれる有害物質が光触媒によって酸化／還元されることによって無害な物質へと無駄なく最大限に変換されるため、浄化された屋外空気を居住空間に供給し続けることができるようになる。また、導光ダクトの内部を自然光と屋外空気が流れることによって、換気装置を建物へ取り付けする際に、ダクトを通すための穴を一つ開ければ良くなるので施工性が向上する。
【００４７】
また、請求項３の発明は、光触媒担持フィルタが光透過型材料を含むことを特徴とする換気装置であり、導光ダクトによって導かれた自然光が光触媒担持フィルタに照射された際に、効率良く光触媒担持フィルタ内を通過できるようになり、これによって光触媒担持フィルタにおける光触媒が無駄なく最大限に励起（活性化）されることによって、導光ダクト内を通過する屋外空気に含まれる有害物質が光触媒によって酸化／還元されることによって無害な物質へと無駄なく最大限に変換されるため、浄化された屋外空気を居住空間に供給し続けることができるようになる。
【００４８】
光透過型材料としては、ガラスなどの無機材料や、フッ素系樹脂、ポリオレフィン系樹脂、ポリカーボネート樹脂などの有機材料を用いることができる。ここで、フッ素系樹脂としては、テトラフルオロエチレン−ヘキサフルオロプロピレン系共重合体、テトラフルオロエチレン−パーフルオロアルキルビニルエーテル系共重合体、エチレン−テトラフルオロエチレン系共重合体、エチレン−モノクロロトリクロロトリフルオロエチレン系共重合体、ポリフッカビニリデン、ポリフッ化ビニルなどが挙げられる。また、ポリオレフィン系樹脂としては、α−オレフィン系単独重合体、α−オレフィンを主成分とする異種単量体との共重合体、α−オレフィンと共役ジエンまたは非共役ジエン等の多不飽和化合物、アクリル酸、メタクリル酸、酢酸ビニル等との共重合体が挙げられ、例としてはポリエチレン、ポリプロピレン、エチレン−プロピレン共重合体、エチレン−ブテン共重合体、エチレン−４−メチル−１−ペンテン共重合体、エチレン−酢酸ビニル共重合体、エチレン−アクリル酸共重合体等が挙げられる。
【００４９】
また、請求項４の発明は、導光ダクトの内壁が光反射型材料を含むことを特徴とする換気装置であり、屋外に配置した自然光を受光することができる受光部から受光した自然光が、導光ダクトを通過する際に、導光ダクトの内壁が光反射型材料であるため、自然光が導光ダクトの壁面を通過しなくなるので、導光ダクトによって導かれた自然光が光触媒担持フィルタに対して満遍なく照射され、これによって光触媒担持フィルタに担持された光触媒が満遍なく自然光を照射され、これによって照射された光触媒が無駄なく最大限に励起（活性化）されることによって、導光ダクト内を通過する屋外空気に含まれる有害物質が光触媒によって酸化／還元されることによって無害な物質へと無駄なく最大限に変換されるため、浄化された屋外空気を居住空間に供給し続けることができるようになる。
【００５０】
光反射型材料としては、アルミニウム、金、銀、銅、ニッケル、マグネシウム等の金属またはその合金や、ステンレス等を用いることができる。
【００５１】
また、請求項５の発明は、光触媒が可視光応答型の酸化チタンを含むことを特徴とする換気装置であり、可視光に応答できる酸化チタンを含むことによって、導光ダクトによって導かれた自然光のスペクトルのうち、３８０〜３９０ｎｍの波長を有する紫外光（自然光の３％前後）以外に、４００〜８００ｎｍの波長を有する可視光（自然光の大部分を占める）が有効に活用できるようになり、これによって光触媒担持フィルタに担持された可視光応答型の酸化チタンを含む光触媒が無駄なく最大限に励起（活性化）されることによって、導光ダクト内を通過する屋外空気に含まれる有害物質が光触媒によって酸化／還元されることによって無害な物質へと無駄なく最大限に変換されるため、浄化された屋外空気を居住空間に供給し続けることができるようになる。
【００５２】
可視光応答型の光触媒としては、酸化チタンに種々の遷移金属をドーピングしたものが挙げられる。遷移金属としては、クロム、バナジウム、モリブデン、タングステン、ニオブ、マンガン、セリウム、鉄などが挙げられる。
【００５３】
また、請求項６の発明は、光触媒担持フィルタに吸着材が担持されていることを特徴とする換気装置であり、これによって導光ダクト内を通過する屋外空気に含まれる有害物質を吸着材の表面や細孔内へ吸着させることができるようになり、吸着材によって有害物質を光触媒の近傍に無駄なく最大限に供給することができるようになり、光触媒によって酸化／還元されることによって無害な物質へと変換されるため、浄化された屋外空気を居住空間に供給し続けることができるようになる。
【００５４】
また、請求項７の発明は、光触媒が、二酸化チタン、含水酸化チタン、水和酸化チタン、メタチタン酸、オルトチタン酸、水酸化チタン、酸素欠損型酸化チタンのいずれか一つ以上を含むことを特徴とする換気装置であり、安全性が高く、経済性の高い酸化チタンを用いることによって、より安全性が高く、経済性の高い換気装置を得ることができるようになる。なお、光触媒活性を有していれば結晶形については特に制限はなく、無定形、アナータス形、ルチル形、ブルカイト形のいずれでもよい。ルチル型とアナターゼ型酸化チタンの組み合せなど、結晶形の違う成分を複合してもなんら問題はない。なお、光触媒が銀、銅、亜鉛、ニッケル、クロムから選ばれるいずれか一つ以上の抗菌性金属を含んでいてもよく、自然光が照射されない場合でも抗菌性・防黴性が発揮されるので、菌や黴の繁殖を抑制することができる。なお、金属ではなく、銀・銅・亜鉛などの金属イオンを溶出する銀ゼオライト、銀含有リン酸ジルコニウムなどの無機化合物を用いてもなんら問題はない。
【００５５】
また、請求項８の発明は、吸着材が、活性炭、ゼオライト、セピオライト、マンガン化合物、コバルト化合物、珪藻土、疎水化処理したシリカゲルのいずれか一つ以上を含むことを特徴とする換気装置であり、吸着性能の高いこれらの吸着材を用いることによって、導光ダクト内を通過する屋外空気に含まれる有害物質を最大限に吸着させることができるようになり、吸着材によって有害物質を光触媒の近傍に無駄なく最大限に供給することができるようになり、光触媒によって酸化／還元されることによって無害な物質へと変換されるため、浄化された屋外空気を居住空間に供給し続けることができるようになる。また、自然光が非常に弱い日中や夜間のときにも、吸着材によって有害物質を吸着できるため、有害物質の少ない浄化された屋外空気を居住空間に供給し続けることができるようになる。光触媒と併用して使用する吸着材としては、光触媒が励起する４００ｎｍ以下の紫外波長領域に吸収端を持つような吸着剤を混ぜると，吸着材が紫外線を吸収してしまい，光触媒の励起効率が著しく低下してしまう恐れがある。４００ｎｍ以下の紫外波長領域に吸収端を持たない吸着剤としてはゼオライトやシリカゲルなどが適しており，特にゼオライトを疎水化処理したハイシリカゼオライトは４００ｎｍ付近にほとんど吸収波長を持たず，且つ疎水化処理することで有害物質を吸着する能力が向上するため好適である。フィルタに光触媒や吸着材を担持する方法としては、予め光触媒と吸着材を混合した状態の分散スラリーを添着しても良いし、吸着材を添着した後に吸着材を光触媒の担体として光触媒を担持しても良い。光触媒や吸着材の固定化にはケイ素化合物を用いると良い。ケイ素化合物が光触媒を固定化するとともに、照射された光を乱反射するので、光触媒に効率的に光をあてることができる。ケイ素化合物としては、シリカゾル、ケイ酸ナトリウム、ケイ酸カリウム、ケイ酸リチウム、シリケート化合物の加水分解物などが挙げられる。シリケート化合物としては、テトラエトキシシランおよびその重合体であるメトキシポリシロキサン、エトキシポリシロキサン、ブトキシポリシロキサン、リチウムシリケートなどが挙げられ、これらの金属アルコキシド類は、水と酸または塩基によって加水分解され、固定化剤として用いることができる。また、シリコーン樹脂を用いてもなんら問題はない。これらのケイ素化合物と光触媒と吸着材を混合して添着面に添着し、乾燥させることにより光触媒の固定化ができる。
【００５６】
また、請求項９の発明は、居住空間に導いた自然光の方向を変更できるようにしたことを特徴とする換気装置であり、居住空間において照明が必要な方向に自然光を導くことができるようになるため、効率良く居住空間を明るくすることができる。また、自然光に含まれる紫外光を光触媒が吸収するため、自然光には紫外光を含まないため、人体に対する紫外光の影響を最小限に留めることができるし、居住空間内の物質に対する紫外光の影響を最小限に留めることができるようにもなる。
【００５７】
また、請求項１０の発明は、自然光を遮断できるようにしたことを特徴とする換気装置であり、居住空間において照明が必要ない場合には、自然光を遮断できるようになる。
【００５８】
また、請求項１１の発明は、自然光を受光する方向を変更できるようにしたことを特徴とする換気装置であり、自然光の向きが変化した場合にも受光する方向を変更することで、屋外から居住空間へと自然光を効率良く導くことができるようになるため、照明に電力を用いることなく居住空間を明るく保つことができるようになる。また、光触媒担持フィルタに担持された光触媒が、効率良く導かれた自然光によって励起（活性化）し、導光ダクト内を通過する屋外空気に含まれる有害物質が光触媒によって酸化／還元されることによって無害な物質へと変換されるため、浄化された屋外空気を居住空間に供給し続けることができるようになる。
【００５９】
また、請求項１２の発明は、日射センサによって自然光を受光する方向を決定することを特徴とする換気装置であり、自然光の向きが変化した場合にも日射センサによって自動的に受光する最適な方向へと変更することで、屋外から居住空間へと自然光を効率良く導くことができるようになるため、照明に電力を用いることなく居住空間を明るく保つことができるようになる。また、光触媒担持フィルタに担持された光触媒が、効率良く導かれた自然光によって励起（活性化）し、導光ダクト内を通過する屋外空気に含まれる有害物質が光触媒によって酸化／還元されることによって無害な物質へと変換されるため、浄化された屋外空気を居住空間に供給し続けることができるようになる。
【００６０】
日射センサは、ヒートシンク型やエプリー型といった分類があるが、いずれにしても日射エネルギーを熱エネルギーに変換し、発生する温度変化を利用して測定するものである。カーボンブラックで塗装された受光面が日射を吸収して熱エネルギーへと変換し、受光面の真下に設置されたサーモパイルセンサーにより受光面と基準点との間の温度差を電力として検出する仕組みである。
【００６１】
日射センサは、センサの前後左右方向に対して指向特性を有しているため、前後左右の角度によってセンサ感度が異なる。このため、日射センサを一方向で固定してしまうと、変化する自然光の向きに対して正確に受光する方向を決定できないので、日射センサ単独、または、日射センサを取り付けた受光部を変化する自然光を感知する全域に常時、または、定期的に駆動させてやることで正確に受光する方向を決定することができるようになる。
【００６２】
また、請求項１３の発明は、光触媒担持フィルタがハニカム構造、発泡構造、メッシュ構造の内いずれか一つ以上の構造であることを特徴とする換気装置であり、これら構造にすることによってフィルタの圧力損失を低く抑えることができるようになり、光触媒担持フィルタを屋外空気が通過する際に圧力損失を低く抑え、目的の換気に必要な空気量を送風することができるようになる。また、これら構造にすることによって、光触媒担持フィルタ自身が自然光を遮蔽することを低く抑えることができるようになり、光触媒担持フィルタ全体に効率良く導かれた自然光によって励起（活性化）し、導光ダクト内を通過する屋外空気に含まれる有害物質が光触媒によって酸化／還元されることによって無害な物質へと変換されるため、浄化された屋外空気を居住空間に供給し続けることができるようになる。また、これら構造にすることによって、フィルタ単位体積当りのフィルタ面積を大きくすることができるようになり、光触媒や吸着材をフィルタ表面あるいは内部に高分散に担持でき、光触媒や吸着材が有する表面積が最大化し、導光ダクト内を通過する屋外空気に含まれる有害物質を光触媒によって酸化／還元して無害な物質へと変換したり、吸着材によって屋外空気から吸着除去したりすることができるようになり、浄化された屋外空気を居住空間に供給し続けることができるようになる。また、ハニカム構造、発泡構造、メッシュ構造のように、フィルタ単位体積当りのフィルタ面積を大きくすることができれば他の構造でも何ら問題はなく、例えば有機材料あるいは無機材料でできた板状のフィルタに無数の穴を開けたパンチング構造や、有機材料あるいは無機材料でできた繊維を束ねてシート状に編み込んだクロス構造や、不織布などを短冊状に折り重ねたプリーツ構造などが挙げられる。
【００６３】
また、請求項１４の発明は、壁取り付け型であることを特徴とする換気装置であり、照明としての自然光および換気に必要な屋外空気を、居住空間における必要な位置に取り出すことができるようになる。
【００６４】
また、請求項１５の発明は、天井取り付け型であることを特徴とする換気装置であり、照明としての自然光および換気に必要な屋外空気を、居住空間における必要な位置に取り出すことができるようになる。また、天井に取り付けすることによって、居住空間を広く保つことができるようになる。
【００６５】
以下、本発明の実施の形態について図面を参照しながら説明する。
【００６６】
（実施の形態１）
図１は本発明における実施の形態１の換気装置の概略を表している。図１の矢印は空気の流れ方向を示している。換気装置７は、導光ダクト１によって自然光６を居住空間３に導くと共に、光触媒担持フィルタ５に担持した光触媒を前記自然光６によって励起し、導光ダクト１内を通過する屋外空気４を光触媒によって浄化し、浄化した屋外空気４を送風機２によって居住空間３に吹出す構成としている。
【００６７】
また、例えば、導光ダクト１内に送風機２を配置しない構造となっている。この構造によって、導光ダクト１によって導かれた自然光６が光触媒担持フィルタ５に対して満遍なく照射され、これによって光触媒担持フィルタ５に担持された光触媒が満遍なく自然光６を照射され、これによって照射された光触媒が無駄なく最大限に励起（活性化）されることによって、導光ダクト１内を通過する屋外空気４に含まれる有害物質が光触媒によって酸化／還元されることによって無害な物質へと無駄なく最大限に変換されるため、浄化された屋外空気４を居住空間３に供給し続けることができるようになる換気装置７が得られることとなる。
【００６８】
また、換気装置７は、光触媒担持フィルタ５の配置位置として、光の強度を最大限確保して光触媒担持フィルタ５の活性を最大化したい場合は導光ダクト１先端にあたる自然光６を取り込む位置に配置したり、長期使用によって光触媒担持フィルタ５の表面に堆積するゴミなどを取り除くメンテナンスを考慮して導光ダクト１末端にあたる自然光６を居住空間３に導く直前に配置したりしても良い。
【００６９】
また、例えば、図１に示すように、導光ダクト１と連通するダクト内に送風機２を備えることで、導光ダクト１内に送風機２を配置しない構造にすることにより、導光ダクト１によって導かれた自然光６が送風機２本体によって遮蔽されることが無いため、屋外から居住空間３へと自然光６を効率良く導くことができるようになり、照明に電力を用いることなく居住空間３を明るく保つことができるようになるし、自然光６が送風機２本体によって遮蔽されることが無いため、光触媒担持フィルタ５に対して満遍なく照射されることによって照射された光触媒が無駄なく最大限に励起（活性化）されることによって、導光ダクト１内を通過する屋外空気４に含まれる有害物質が光触媒によって酸化／還元されることによって無害な物質へと無駄なく最大限に変換されるため、浄化された屋外空気４を居住空間３に供給し続けることができるようになる。
【００７０】
なお、換気装置７は、送風機２の配置位置としては、屋外空気４を取り込む吸込み口に近い位置に設置して導光ダクト１に送り込んでも良いし、居住空間３に吹出す吹出し口に近い位置に設置して屋外空気４を取り込んでも良く、重要なことは導光ダクト１内部に送風機２を配置しないことである。また、導光ダクト１内を自然光６及び屋外空気４が流れる構造を有することによって、換気装置を建物へ取り付けする際に、ダクトを通すための穴を一つ開ければ良くなるので施工性が向上する。
【００７１】
また、換気装置７は、光触媒担持フィルタ５が光透過型材料を含むことによって導かれた自然光６が光触媒担持フィルタ５に照射された際に、効率良く光触媒担持フィルタ５を通過できるようになり、これによって光触媒担持フィルタ５に担持された光触媒が無駄なく最大限に励起（活性化）されることによって、導光ダクト１内を通過する屋外空気４に含まれる有害物質が光触媒によって酸化／還元されることによって無害な物質へと無駄なく最大限に変換されるため、浄化された屋外空気を居住空間３に供給し続けることができるようになる。
【００７２】
また、導光ダクト１の内壁が光反射型材料を含むことによって、自然光６が、導光ダクト１を通過する際に、自然光６が導光ダクト１の壁面を通過しなくなるので、導光ダクト１によって導かれた自然光６が光触媒担持フィルタ５に対して満遍なく照射され、これによって光触媒担持フィルタ５に担持された光触媒が満遍なく自然光６を照射され、これによって照射された光触媒が無駄なく最大限に励起（活性化）されることによって、導光ダクト１内を通過する屋外空気４に含まれる有害物質が光触媒によって酸化／還元されることによって無害な物質へと無駄なく最大限に変換されるため、浄化された屋外空気４を居住空間３に供給し続けることができるようになる換気装置７が得られる。
【００７３】
また、光触媒担持フィルタ５に吸着材が担持されていると良い。これによって光触媒担持フィルタ５内を通過する屋外空気４に含まれる有害物質を吸着材の表面や細孔内へ吸着させることができるようになり、吸着材によって有害物質を光触媒の近傍に無駄なく最大限に供給することができるようになり、光触媒によって酸化／還元されることによって無害な物質へと変換されるため、浄化された屋外空気４を居住空間３に供給し続けることができるようになる。また、自然光６の方向を変更できるようにしたことによって、居住空間３において照明が必要な方向に自然光６を導くことができるようになるため、効率良く居住空間３を明るくすることができる換気装置７が得られる。
【００７４】
また、自然光６に含まれる紫外光を光触媒が吸収するため、居住空間３に到達する自然光６には紫外光を含まないため、人体に対する紫外光の影響を最小限に留めることができるし、居住空間３内の物（壁や家具など）に対する紫外光の影響を最小限に留めることができるようにもなる。また、自然光６を遮断できるようにしたことによって、居住空間３において照明が必要ない場合には、自然光６を遮断できるようになるため照明機能の向上に繋がる換気装置７が得られる。
【００７５】
また、自然光６を受光する方向を変更できるようにしたことによって、自然光６の向きが変化した場合にも受光する方向を変更することで、屋外から居住空間３へと自然光６を効率良く導くことができるようになるため、照明に電力を用いることなく居住空間３を明るく保つことができるようになる。また、光触媒担持フィルタ５に担持された光触媒が、効率良く導かれた自然光６によって励起（活性化）し、導光ダクト１内を通過する屋外空気４に含まれる有害物質が光触媒によって酸化／還元されることによって無害な物質へと変換されるため、浄化された屋外空気４を居住空間３に供給し続けることができるようになる。さらに、日射センサを用いて最も受光する方向を決定することによって、自然光６の向きが変化した場合にも日射センサによって自動的に受光する最適な方向へと変更することで、屋外から居住空間３へと自然光６を効率良く導くことができるようになるため、照明に電力を用いることなく居住空間３を明るく保つことができるようになる。
【００７６】
また、光触媒担持フィルタ５に担持された光触媒が、効率良く導かれた自然光６によって励起（活性化）し、導光ダクト１内を通過する屋外空気４に含まれる有害物質が光触媒によって酸化／還元されることによって無害な物質へと変換されるため、浄化された屋外空気４を居住空間３に供給し続けることができるようになる。日射センサは、ヒートシンク型やエプリー型といった分類があるが、いずれにしても日射エネルギーを熱エネルギーに変換し、発生する温度変化を利用して測定するものである。カーボンブラックで塗装された受光面が日射を吸収して熱エネルギーへと変換し、受光面の真下に設置されたサーモパイルセンサーにより受光面と基準点との間の温度差を電力として検出する仕組みである。
【００７７】
日射センサは、センサの前後左右方向に対して指向特性を有しているため、前後左右の角度によってセンサ感度が異なる。このため、日射センサを一方向で固定してしまうと、変化する自然光６の向きに対して正確に受光する方向を決定できないので、日射センサ単独、または、日射センサを取り付けた導光ダクトを変化する自然光６を感知する全域に常時、または、定期的に駆動させてやることで正確に受光する方向を決定することができるようになる。また、実施の形態１で説明した換気装置を、壁取り付け型にすることによって、照明としての自然光および換気に必要な屋外空気を、居住空間における必要な位置に取り出すことができるようになるし、天井取り付け型にすることによって、照明としての自然光および換気に必要な屋外空気を、居住空間における必要な位置に取り出すことができるようになる。また、天井に取り付けすることによって、居住空間を広く保つことができるようになる。
【００７８】
光触媒としては、二酸化チタン、含水酸化チタン、水和酸化チタン、メタチタン酸、オルトチタン酸、水酸化チタン、酸素欠損型酸化チタンのいずれか一つ以上を選択すると良い。これらの酸化チタンは安全性が高く、経済性の高い。光触媒としての活性を有していれば結晶形については特に制限はなく、無定形、アナータス形、ルチル形、ブルカイト形のいずれでもよい。ルチル型とアナターゼ型酸化チタンの組み合せなど、結晶形の違う成分を複合してもなんら問題はない。また、光触媒が銀、銅、亜鉛、ニッケル、クロムから選ばれるいずれか一つ以上の抗菌性金属を含んでいても良く、自然光が照射されない場合でも抗菌性・防黴性が発揮されるので、菌や黴の繁殖を抑制することができる。
【００７９】
なお、金属ではなく、銀・銅・亜鉛などの金属イオンを溶出する銀ゼオライト、銀含有リン酸ジルコニウムなどの無機化合物を用いてもなんら問題はない。また、光触媒が可視光応答型の酸化チタンを含んでいるとさらに良い。可視光に応答できる酸化チタンを含むことによって、導光ダクト１によって導かれた自然光６のスペクトルのうち、３８０〜３９０ｎｍの波長を有する紫外光（自然光の３％前後）以外に、４００〜８００ｎｍの波長を有する可視光（自然光の大部分を占める）が有効に活用できるようになり、これによって光触媒担持フィルタ５に担持された可視光応答型の酸化チタンを含む光触媒が無駄なく最大限に励起（活性化）されることによって、導光ダクト１内を通過する屋外空気４に含まれる有害物質が光触媒によって酸化／還元されることによって無害な物質へと無駄なく最大限に変換されるため、浄化された屋外空気４を居住空間に供給し続けることができるようになる。可視光応答型の光触媒としては、酸化チタンに種々の遷移金属をドーピングしたものが挙げられる。遷移金属としては、クロム、バナジウム、モリブデン、タングステン、ニオブ、マンガン、セリウム、鉄などが挙げられる。
【００８０】
光透過型材料としては、ガラスなどの無機材料や、フッ素系樹脂、ポリオレフィン系樹脂、ポリカーボネート樹脂などの有機材料を用いることができる。ここで、フッ素系樹脂としては、テトラフルオロエチレン−ヘキサフルオロプロピレン系共重合体、テトラフルオロエチレン−パーフルオロアルキルビニルエーテル系共重合体、エチレン−テトラフルオロエチレン系共重合体、エチレン−モノクロロトリクロロトリフルオロエチレン系共重合体、ポリフッカビニリデン、ポリフッ化ビニルなどが挙げられる。また、ポリオレフィン系樹脂としては、α−オレフィン系単独重合体、α−オレフィンを主成分とする異種単量体との共重合体、α−オレフィンと共役ジエンまたは非共役ジエン等の多不飽和化合物、アクリル酸、メタクリル酸、酢酸ビニル等との共重合体が挙げられ、例としてはポリエチレン、ポリプロピレン、エチレン−プロピレン共重合体、エチレン−ブテン共重合体、エチレン−４−メチル−１−ペンテン共重合体、エチレン−酢酸ビニル共重合体、エチレン−アクリル酸共重合体等が挙げられる。
【００８１】
光反射型材料としては、アルミニウム、金、銀、銅、ニッケル、マグネシウム等の金属またはその合金や、ステンレス等を用いることができる。
【００８２】
吸着材としては、活性炭、ゼオライト、セピオライト、マンガン化合物、コバルト化合物、珪藻土、疎水化処理したシリカゲルのいずれか一つ以上を選択すると良い。吸着性能の高いこれらの吸着材を用いることによって、導光ダクト１内を通過する屋外空気４に含まれる有害物質を最大限に吸着させることができるようになり、吸着材によって有害物質を光触媒の近傍に無駄なく最大限に供給することができるようになり、光触媒によって酸化／還元されることによって無害な物質へと変換されるため、浄化された屋外空気４を居住空間３に供給し続けることができるようになる。
【００８３】
また、自然光６が非常に弱い日中や夜間のときにも、吸着材によって有害物質を吸着できるため、有害物質の少ない浄化された屋外空気４を居住空間３に供給し続けることができるようになる。光触媒と併用して使用する吸着材としては、光触媒が励起する４００ｎｍ以下の紫外波長領域に吸収端を持つような吸着剤を混ぜると，吸着剤が紫外線を吸収してしまい，光触媒の励起効率が著しく低下してしまう恐れがある。４００ｎｍ以下の紫外波長領域に吸収端を持たない吸着剤としてはゼオライトやシリカゲルなどが適しており，特にゼオライトを疎水化処理したハイシリカゼオライトは４００ｎｍ付近にほとんど吸収波長を持たず，且つ疎水化処理することで有害物質を吸着する能力が向上するため好適である。光触媒担持フィルタ５に光触媒や吸着材を担持する方法としては、予め光触媒と吸着材を混合した状態の分散スラリーを添着しても良いし、吸着材をフィルタに添着した後に吸着材を光触媒の担体として光触媒を担持しても良い。
【００８４】
光触媒や吸着材の固定化にはケイ素化合物を用いると良い。ケイ素化合物が光触媒を固定化するとともに、照射された光を乱反射するので、光触媒に効率的に光をあてることができる。ケイ素化合物としては、シリカゾル、ケイ酸ナトリウム、ケイ酸カリウム、ケイ酸リチウム、シリケート化合物の加水分解物などが挙げられる。シリケート化合物としては、テトラエトキシシランおよびその重合体であるメトキシポリシロキサン、エトキシポリシロキサン、ブトキシポリシロキサン、リチウムシリケートなどが挙げられ、これらの金属アルコキシド類は、水と酸または塩基によって加水分解され、固定化剤として用いることができる。また、シリコーン樹脂を用いてもなんら問題はない。これらのケイ素化合物と光触媒と吸着材を混合してフィルタに添着し、乾燥させることにより光触媒の固定化ができる。
【産業上の利用可能性】
【００８５】
本発明は、自然光を利用して光触媒を励起（活性化）させて空気を脱臭したり殺菌したりすることで、電力を必要とせず、また交換部品を必要とせず、また、交換部品を交換するといったメンテナンスが必要なくなる空気を浄化する機能を有した換気装置で、さらに、空気を脱臭したり殺菌したりする光触媒を励起（活性化）させるための自然光を効率良く受光させることができ、受光した自然光を照明に必要な向きに変更することができ、受光した自然光を必要に応じて遮断することができる機能を有した換気装置となり、非常に有用である。住宅用の換気装置のみならず、ビルなどの建造物全ての換気装置や空調機器にも適用可能である。
【図面の簡単な説明】
【００８６】
【図１】本発明の実施の形態１の換気装置を示す図
【図２】従来の空気を浄化する機能を有した空調システムを示す図
【図３】従来の空気を浄化する機能を有した空調システムを示す図
【図４】従来の建物内に自然光を導光する導光装置を示す図
【符号の説明】
【００８７】
１      導光ダクト
２      送風機
３      居住空間
４      屋外空気
５      光触媒担持フィルタ
６      自然光
７      換気装置
１０１  室内の空気
１０２  排気用ダクト
１０３  空調装置
１０４  脱臭装置
１０５  吸気用ダクト
１０６  空調用ダクト
１０７  光
１０８  光透過性材料
１０９  光触媒
１１０  励起光源
１１１  採光装置
１１２  光ダクト
１１３  光学系
１１４  出光部
【図１】
2009014253.tif 000003
【図２】
2009014253.tif 000004
【図３】
2009014253.tif 000005
【図４】
2009014253.tif 000006